(57)【要約】【課題】アルカリなど不純物となる物質を添加することなく、アミンの損失を少なくし、熱安定性酸イオンを効率よく除去してアミン液を高度に精製し、再生することができるアミン液の再生方法および装置を提供する。【解決手段】電気透析装置１０は、陰極１および陽極２間に配置されたバイポーラ膜３およびアニオン交換膜４間にアミン精製室５を形成し、アニオン交換膜４の陽極２側に酸濃縮室６を形成し、アミン精製室５にアニオン交換体を充填したものである。アミン精製室５へ被処理アミン液を連続的に導入し、陰極１と陽極２との間に間欠的に通電して電気透析を行い、アミン精製室５から精製アミン液を取出す。【選択図】図１
2014079724.tif 000002
【特許請求の範囲】
【請求項１】
陰極および陽極間に配置されたバイポーラ膜およびアニオン交換膜間にアミン精製室が形成され、該アニオン交換膜の陽極側に酸濃縮室が形成された電気透析装置を用い、
該アミン精製室へ被処理アミン液を導入し、
アミン精製室から精製アミン液を取出し、
該酸濃縮室から酸濃縮液を取出すアミン液の再生方法において、
該アミン精製室にアニオン交換体が充填されており、
該陰極と陽極との間に間欠的に通電することを特徴とするアミン液の再生方法。
【請求項２】
請求項１において、アミン液の通液開始当初における前記アミン精製室内のイオン交換体が炭酸イオン形又は重炭酸イオン形が多い間は通電を停止し、熱安定性酸イオンで炭酸イオン又は重炭酸イオンがアミン精製室から押し出されて熱安定性アニオン交換体が多くなってから前記通電を行うことを特徴とするアミン液の再生方法。
【請求項３】
請求項１又は２において、前記酸濃縮室に酸捕捉液を導入することを特徴とするアミン液の再生方法。
【請求項４】
請求項１ないし３のいずれか１項において、処理室内のアニオン樹脂のイオン交換容量の１．２倍以上の熱安定性酸イオン負荷量となるように陰極と陽極との間に通電しない間隔を制御することを特徴とするアミン液の再生方法。
【請求項５】
請求項１ないし４のいずれか１項において、処理室内のアニオン樹脂のイオン交換容量の当量以内の電気量が流れるように陰極と陽極との間に通電する間隔を制御することを特徴とするアミン液の再生方法。
【請求項６】
陰極及び陽極と、
該陰極および陽極間に配置されたバイポーラ膜およびアニオン交換膜と、
該バイポーラ膜およびアニオン交換膜間に形成された、アニオン交換体が充填されたアミン精製室と、
該アミン精製室へ被処理アミン液を導入する被処理アミン液導入路と、
アミン精製室から精製アミン液を取出す精製アミン液取出路と、
該アニオン交換膜の陽極側に形成された酸濃縮室と、
該酸濃縮室から酸濃縮液を取出す酸濃縮液取出路と、
該陰極と陽極との間に間欠的に通電を行う通電制御機構と
を有するアミン液の再生装置。
【発明の詳細な説明】
【技術分野】
【０００１】
本発明は、酸成分を吸収したアミン液の再生方法および装置に係り、特に炭酸ガス、硫化水素などの気散性の酸成分と共にＳＯＸ、ＮＯＸ等の熱安定性（非気散性）酸成分を吸収したアミン液から電気透析により熱安定性酸成分を効率的に除去し、アミン液を再生する方法および装置に関するものである。
【背景技術】
【０００２】
石油精製その他のプロセスでは、炭酸ガス、硫化水素、その他の酸成分を含む酸性ガスが発生する。このような酸性ガスを吸収塔においてアルカーノアミン等のアミン液（リーンアミン）と接触させることにより酸成分を吸収除去し、精製ガスを次工程へ送る。酸成分を吸収したアミン液（リッチアミン）はアミン再生塔へ送られ、加熱により熱分解性のアミン塩を分解し、ストリッピングにより気散性の酸成分を放出させてアミンを１次再生する。再生されたアミン液（リーンアミン）は酸成分吸収塔へ戻される。
【０００３】
ボイラの煙道ガス等の石炭、石油、燃料ガスなどを燃焼させた燃焼ガスのような炭酸ガス、ＳＯｘ、ＮＯｘおよび他の酸成分を含む酸性ガスから炭酸ガスを除去する系でも、上記と同様のアミン液による吸収で処理することが試みられている。
【０００４】
これらの酸性ガスは、主として、炭酸ガス、硫化水素のような気散性酸成分であるが、この他にＳＯｘ、ＮＯｘ、硫化カルボニル、シアン化水素、蟻酸、酢酸、シュウ酸、チオシアン酸、チオ硫酸、その他の無機酸等の非気散性酸成分が微量含まれる。これらのすべての酸成分が、吸収塔においてアミン液に吸収されアミン塩となる。この内、硫化水素、炭酸ガスなどの気散性酸成分が吸収されて形成される熱分解性アミン塩は、アミン再生塔で熱分解され、ストリッピングで炭酸ガス、硫化水素ガスなどとして排出され、アミンが１次再生される。ところがＳＯｘ、ＮＯｘ、蟻酸、酢酸、シュウ酸、チオシアン酸、チオ硫酸、その他の無機酸等の非気散性酸成分と結合したアミン塩は、熱安定性アミン塩（Ｈｅａｔ  Ｓｔａｂｌｅ  Ａｍｉｎｅｓ  Ｓａｌｔ：以下、ＨＳＡＳと略記する場合がある）と称され、アミン再生塔での加熱では分解せず、アミン液に蓄積する。このようなＨＳＡＳが蓄積するとアミン液の吸収効率が低下する。また、アミン液中のＨＳＡＳ濃度が２〜３重量％になると装置の腐食や発泡の原因となることから、アミン液からＨＳＡＳを除去することが望まれている。
【０００５】
アミン液からＨＳＡＳを除去するために、イオン交換膜を用いた電気透析によりアミン液からＨＳＡＳを除去する方法が試みられている。一般的な電気透析法では、陰極、陽極間に配置されたカチオン交換膜とアニオン交換膜間の被処理液室に被処理アミン液を導入して、陰極、陽極間に通電することにより、解離したイオンをカチオン交換膜およびアニオン交換膜を透過させ分離する。ところがアミン塩を含むアミン液を電気透析して解離したイオンを透過させると、被処理アミン液中には解離しないアミンが残ることになる。この解離しないアミンは導電率が低いため通電できなくなり、電気透析ができなくなる。
【０００６】
このような問題点を解決する方法として、特許文献１（特公平６−４３３７８号）には、アミン液中にアルカリ金属水酸化物を添加して電気透析することにより、導電率を下げることなくアミン液からＨＳＡＳを除去する方法が提案されている。この方法では、ＨＳＡＳから熱安定性陰イオンを解離させる。そして、遊離塩基の形のアミンおよびアミン以外のカチオンと結びついた熱安定性塩、具体的には硫化ナトリウム塩を生成させるために、アルカリ金属の水酸化物、例えば水酸化ナトリウムをアミン液に添加する。次に、この塩を含むアミン液をカチオン交換膜とアニオン交換膜間に導入し、電気透析処理する。アルカリ金属の添加で非解離となったアミンは、カチオン交換膜およびアニオン交換膜を透過せず、解離した他のイオンが透析により除去されるため、精製アミンが得られる。
【０００７】
しかしながら、この特許文献１の方法では、アミン液にアルカリ金属水酸化物を添加するため、硫化ナトリウムなど、アミン塩ではない塩類が増加し、腐食や塩分の析出などの問題を引き起こす懸念がある。また、電気透析処理においてアミンもイオン交換膜を透過するので、アミンの損失量が多い。
【０００８】
これを改善する方法として、特許文献２（特開２０１２−１３０８７９号公報）には、陰極および陽極間に配置されたバイポーラ膜およびアニオン交換膜間にアミン精製室を形成し、アニオン交換膜の陽極側に酸濃縮室を形成し、アミン精製室へ被処理アミン液を導入し、アミン精製室の被処理アミン液中の熱分解性アミン塩が残留するように電気透析を行い、アミン精製室から精製アミン液を取出し、酸濃縮室から酸濃縮液を取出すアミン液の再生方法及び装置が記載されている。
【０００９】
この特許文献２のアミン液の再生方法および装置では、被処理アミン液導入路からアミン精製室へ被処理アミン液を導入し、制御機構によりアミン精製室の被処理アミン液中の熱分解性アミン塩が残留するように制御して電気透析を行い、アミン精製室から精製アミン液を取り出す。
【００１０】
アミン精製室内の被処理アミン液中の解離したアニオンである酸成分は、電気透析により陽極側に引かれるため、アニオン交換膜を通して酸濃縮室に移行する。被処理アミン液中の解離したカチオンであるアミンは、陰極側に引かれるが、バイポーラ膜により阻止されるためアミン精製室内に留まる。このためアミンは陰極室に移行することなく、アミン精製室内に留まるので、アミンの損失は少ない。
【００１１】
解離したアニオンである酸成分が酸濃縮室に移行する場合、移行する各酸成分の量は、アミン液中の解離した各酸成分の割合に比例する。一般に強酸性の酸ほど解離度が高いので、強酸性の熱安定性酸成分の多くが解離して酸濃縮室に移行する。弱酸性の熱安定性酸成分の多くも酸濃縮室に移行する。しかしながら、解離度の低い弱酸性の熱分解性酸成分は、解離して酸濃縮室に移行する量は少ない。このため、強酸性の熱安定性酸成分の移行が終わっても、弱酸性の熱分解性酸成分が残留するような条件で電気透析を行うと、強酸性および弱酸性の熱安定性酸成分を選択的に除去することができる。
【先行技術文献】
【特許文献】
【００１２】
【特許文献１】特公平６−４３３７８号公報
【特許文献２】特開２０１２−１３０８７９号公報
【発明の概要】
【発明が解決しようとする課題】
【００１３】
上記特許文献２のアミン液の再生方法では、電気透析装置の陰極と陽極との間に常時通電するようにしており、消費電力が多い。
【００１４】
本発明は、アミンの損失を少なくし、熱安定性酸イオンを効率よく除去してアミン液を高度に精製し、再生することができ、しかも消費電力が少ないアミン液の再生方法および装置を提供することを目的とする。
【課題を解決するための手段】
【００１５】
本発明のアミン液の再生方法は、陰極および陽極間に配置されたバイポーラ膜およびアニオン交換膜間にアミン精製室が形成され、該アニオン交換膜の陽極側に酸濃縮室が形成された電気透析装置を用い、該アミン精製室へ被処理アミン液を導入し、アミン精製室から精製アミン液を取出し、該酸濃縮室から酸濃縮液を取出すアミン液の再生方法において、該アミン精製室にアニオン交換体が充填されており、該陰極と陽極との間に間欠的に通電することを特徴とするものである。
【００１６】
本発明方法では、アミン液の通液開始当初における前記アミン精製室内のイオン交換体が炭酸イオン形又は重炭酸イオン形が多い間は通電を停止し、熱安定性酸イオンで炭酸イオン又は重炭酸イオンがアミン精製室から押し出されて熱安定性アニオン交換体が多くなってから通電を行うことが好ましい。
【００１７】
前記酸濃縮室に酸捕捉液を導入することが好ましい。
【００１８】
処理室内アニオン樹脂のイオン交換容量の１．２倍以上、好ましくは１．３〜３．０倍の熱安定性酸イオン負荷量となるように、陰極と陽極との間に通電しない通電停止期間の長さを制御することが好ましい。
【００１９】
処理室内アニオン樹脂のイオン交換容量の当量以内の電気量が流れるように、陰極と陽極との間に通電する通電期間の長さを制御することが好ましい。
【００２０】
本発明のアミン液の再生装置は、陰極及び陽極と、該陰極および陽極間に配置されたバイポーラ膜およびアニオン交換膜と、該バイポーラ膜およびアニオン交換膜間に形成された、アニオン交換体が充填されたアミン精製室と、該アミン精製室へ被処理アミン液を導入する被処理アミン液導入路と、アミン精製室から精製アミン液を取出す精製アミン液取出路と、該アニオン交換膜の陽極側に形成された酸濃縮室と、該酸濃縮室から酸濃縮液を取出す酸濃縮液取出路と、該陰極と陽極との間に間欠的に通電を行う通電制御機構とを有する。
【発明の効果】
【００２１】
本発明の方法及び装置は、陰極および陽極間に配置されたバイポーラ膜およびアニオン交換膜間に、アニオン交換体が充填されたアミン精製室を形成し、アニオン交換膜の陽極側に酸濃縮室を形成し、アミン精製室へ被処理アミン液を導入し、通電停止期間はアニオン交換体によってアニオンを吸着し、通電期間にあっては電気透析作用によってアニオンを酸濃縮室へ移動させ、アミン精製室から精製アミン液を取出すようにしたものである。
【００２２】
通電停止期間にアニオン交換体に吸着されて捕捉されたアニオンは、電気透析装置の陽極と陰極間に通電する通電期間に解離（脱着）して濃縮室に移動する。アニオンが脱着されて再生されたアニオン交換体は、その後の非通電期間に再度アニオンを吸着する。
【００２３】
このように電気透析装置に通電しないときでもアニオン交換体がアニオンを吸着するので、電気透析装置からは通電時及び非通電時のいずれの状態でもアニオンが除去された再生アミン液が得られる。電気透析装置を連続通電ではなく間欠通電とするので、電気透析装置の消費電力が減少する。
【００２４】
本発明では、アルカリなど不純物となる物質を添加することなく、アミンの損失を少なくして、熱安定性酸イオンを効率よく除去することができる。
【００２５】
本発明の一態様では、電気再生式イオン除去装置内のイオン交換体が炭酸イオン、あるいは重炭酸イオン破過するまでは通電せず、破過後に通電する。一般に、炭酸イオンや重炭酸イオンは、リーンアミン液中に高濃度で存在するだけでなく、イオン交換体との選択性が小さいため、熱安定性酸に比べて早く破過する。そのため、電気再生式イオン除去装置内のイオン交換体が炭酸イオン形、あるいは重炭酸イオン形が多い間は電気再生（陽極、陰極間に通電）せず、熱安定性酸イオンで炭酸イオン、重炭酸イオンが押し出されて熱安定性酸形が多くなってから電気再生（通電）を行うことにより、熱安定性酸イオン除去時の電流効率が高くなる。
【図面の簡単な説明】
【００２６】
【図１】実施形態のアミン液の再生方法および装置を示すフロー図である。
【図２】アミン液の１次再生装置を示すフロー図である。
【発明を実施するための形態】
【００２７】
以下、図面を参照して実施の形態について説明する。
【００２８】
図１は電気透析装置１０を用いたアミン液の再生を説明するものである。この電気透析装置１０は、陰極１および陽極２間に配置されたバイポーラ膜３およびアニオン交換膜４と、バイポーラ膜３およびアニオン交換膜４間に形成されたアミン精製室５と、アミン精製室５に充填されたアニオン交換樹脂などのアニオン交換体７と、アミン精製室５へ被処理アミン液を導入する被処理アミン液導入路５１と、アミン精製室５から精製アミン液を取出す精製アミン液取出路５２と、アニオン交換膜４と陽極２との間に形成された酸濃縮室６とを備えている。
【００２９】
電気透析装置１０は、さらに、酸濃縮室６内の液を循環させる循環路１３と、該循環路１３に接続されており、酸濃縮室６へ酸捕捉液を供給する酸捕捉液導入路１４と、酸濃縮室６から酸濃縮液を取出すように循環路１３から分岐した酸濃縮液取出路１５とを備えている。陰極１とバイポーラ膜３との間に陰極室８が設けられている。陰極室８には０．１〜４Ｎのアルカリ金属水酸化物等のアルカリ溶液が陰極液として充填されている。この陰極液をポンプ１６により、循環路１７を介して循環させることにより、液の攪拌とガスの除去を行う。水素等のガスは取出管１８を介して取り出される。
【００３０】
陰極室８及び酸濃縮室６にそれぞれメッシュスペーサなどの通水スペーサ（図示略）又はアニオン交換体等が充填されている。
【００３１】
アニオン交換膜４としては、アニオン交換容量０．２〜２ｍｅｑ／ｇ、好ましくは０．４〜２ｍｅｑ／ｇ、膜厚１０〜２０００μｍ、好ましくは２０〜３００μｍのものが好適である。
【００３２】
バイポーラ膜３は、特公昭３２−３９６２号、特公昭３４−３９６１号等に記載されているように、カチオン交換膜３Ｃとアニオン交換膜３Ａとが積層された複合膜であり、中間にカチオン交換基とアニオン交換基を有する樹脂部などが介在するものもある。カチオン交換膜３Ｃはカチオンを選択的に透過させ、アニオンの透過を阻止するので、バイポーラ膜は外部からのカチオンとアニオンの通過を阻止するが、内部で水の電解によって発生する水素イオンや水酸イオンなどは、それぞれの極性に応じて透過する。バイポーラ膜３としては、アニオン交換容量０．１〜１．５ｍｅｑ／ｇ、好ましくは０．３〜１ｍｅｑ／ｇ、カチオン交換容量０．４〜２ｍｅｑ／ｇ、好ましくは０．８〜１．５ｍｅｑ／ｇ、膜厚４０〜３０００μｍ、好ましくは１００〜１０００μｍのものが好適である。
【００３３】
各透過膜３，４の大きさは、処理目的、装置の規模等によって任意に決められるが、一般的には１００〜２０００ｍｍ角、好ましくは３００〜１０００ｍｍ角、膜間隔は一般的には０．３ｍｍ〜３０ｍｍ、好ましくは０．５ｍｍ〜５ｍｍである。
【００３４】
陰極１と陽極２との間の通電のＯＮ、ＯＦＦの切り替え手段としては、取出路５２に設けたイオンセンサと、該イオンセンサが検出する炭酸イオン、重炭酸イオン濃度が所定値以下のときに通電ＯＮとし、所定値未満のときに通電ＯＦＦとするものが例示される。ただし、被処理アミン液の酸成分の組成、濃度が安定しているときには、タイマーによって通電のＯＮ、ＯＦＦを切り替えるようにしてもよい。
また、アミンの炭酸塩や重炭酸塩の電気伝導率は、熱安定性酸との塩に比べて低いため、電気伝導率の増加によって、通電をＯＦＦとすることもできる。
【００３５】
このように構成された電気透析装置１０により、アミン液の再生を行う方法について次に説明する。
【００３６】
電気透析装置１０の運転開始当初は、電気透析装置１０に通電せず（即ち、陰極１、陽極２間に電圧を印加せず）、被処理アミン液導入路５１からリーンアミン液を電気透析装置１０のアミン精製室５へ導き、リーンアミン液中のアニオン成分をアニオン交換体７に吸着させ、アミン精製室５から精製アミン液を取り出す。
【００３７】
電気透析装置１０内のイオン交換体７が炭酸イオン形、あるいは重炭酸イオン形が多い間は陰極１と陽極２との間に通電を行わず、アニオン交換体７の電気再生をしない。
【００３８】
アミン精製室５への通液を継続すると、イオン選択性のため、アニオン交換樹脂７の炭酸・重炭酸形の割合が少なくなり、熱安定性酸イオン形が増加する。熱安定性酸イオンにより炭酸イオン、重炭酸イオンがイオン交換体から押し出されて熱安定性酸形のイオン交換体が多くなってから陰極１と陽極２との間に通電する。
【００３９】
陰極１と陽極２との間に電圧を印加すると、アミン精製室５内の被処理アミン液中の解離したアニオン、すなわち酸成分（Ｘ−）は、電気透析により陽極２側に引かれるため、アニオン交換膜４を透過して酸濃縮室６に移行する。
【００４０】
酸濃縮室６に移行する各酸成分（Ｘ−）の量は、アミン液中の解離した各酸成分の割合に比例する。一般に強酸性ほど解離度が高いので、ＳＯｘ、ＮＯｘのような強酸性の熱安定性酸成分の多くが解離して透過する。蟻酸、酢酸、シュウ酸、チオシアン酸、チオ硫酸等の弱酸性の熱安定性酸成分はこれに続く。熱安定性酸イオン形のアニオン交換体が増加した段階で陰極１、陽極２間に通電すると、主として熱安定性酸イオンが酸濃縮室６へ移動するため、熱安定性イオンが効率よくアミン液から除去される。
【００４１】
被処理アミン液中の解離したカチオン、すなわちアミン（ＲＮ＋）は陰極１側に引かれるが、バイポーラ膜３により阻止されるためアミン精製室５内に留まる。このためアミンは移行することなく、アミン精製室５内に留まった状態で精製されるので、アミンの損失は少ない。
【００４２】
酸濃縮室６に酸捕捉液導入路１４から酸捕捉液を導入することにより、酸濃縮室６内の酸成分が捕捉され、酸濃縮液が生成する。この酸濃縮液は酸濃縮液取出路１５から取出される。酸捕捉液としては、透過する酸を捕捉して濃縮できるものであればよい。酸捕捉液として水酸化ナトリウム等のアルカリ金属の水酸化物のようなアルカリ液を用いることにより、酸成分を中和することができ、これにより装置の腐食、損傷等を防止し、排液処理を容易にすることができる。酸濃縮室６内の酸捕捉液をポンプ１２により循環路１３を通して循環させることにより、液の攪拌とガスの除去を行うことができる。酸濃縮室６のｐＨは１０以上であることが好ましい。
【００４３】
バイポーラ膜３内では、水の電解により水素イオン（Ｈ＋）と水酸イオン（ＯＨ−）が生成する。水素イオン（Ｈ＋）は陰極室８に移行して水素ガス（Ｈ２）が発生する。この水素ガスは流路１８から取り出される。水酸イオン（ＯＨ−）はアミン精製室５へ移行する。酸濃縮室（陽極室）６では水の電解により、水素イオン（Ｈ＋）と酸素ガス（Ｏ２）が発生する。この酸素ガスは、酸濃縮液と共に取出路１５から取り出される。
【００４４】
上記の通り、電気透析装置１０に対して被処理アミン液を連続的に供給しながら、陰極１と陽極２との間の電圧印加を間欠的に行う。
【００４５】
このように間欠通電を行う場合、通電しない期間の長さが処理室内アニオン樹脂のイオン交換容量以上、好ましくは１．２倍以上、特に好ましくは１．３〜３．０倍の熱安定性酸イオン負荷量となるように制御することが好ましい。具体的には、
通電しない間隔（ｍｉｎ）＞アニオン樹脂交換容量（ｍｅｑ／Ｌ）×充填樹脂量（Ｌ）／（熱安定性イオン濃度（ｍｅｑ／Ｌ）×流量（Ｌ／ｍｉｎ）×１．２
となるように制御することが好ましい。
【００４６】
通電時の電流密度は０．５〜２０Ａ／ｄｍ２、特に２〜１０Ａ／ｄｍ２とするのが好ましい。
【００４７】
上記の実施の形態では、バイポーラ膜３およびアニオン交換膜４、ならびにこれらにより形成されるアミン精製室５および酸濃縮室６は、陰極１および陽極２間に図示のように１組だけ設けられているが、複数組を直列または並列に設けてもよい。
【００４８】
［被処理アミン液］
上記電気透析装置１０による再生の対象となる被処理アミン液は、炭酸ガス、硫化水素、ＳＯｘ、ＮＯｘ、その他の酸成分を含むアミン液である。このようなアミン液としては、前記石油精製その他のプロセスで発生する炭酸ガス、硫化水素、その他の酸成分を含む酸性ガス、あるいはボイラの煙道ガス等の石炭、石油、燃料ガスなどを燃焼させた燃焼ガスのような炭酸ガス、ＳＯｘ、ＮＯｘおよび他の酸成分を含む酸性ガスを、吸収塔においてアルカーノアミン等のアミン液（リーンアミン）と接触させ、これにより酸成分を吸収したアミン液（リッチアミン）を、アミン再生塔で加熱により熱分解性のアミン塩を分解、ストリッピングにより気散性の酸成分を放出させてアミンを１次再生したアミン液（リーンアミン）があげられる。
【００４９】
被処理アミン液の主成分であるアミンは、酸性ガスの吸収に用いられるアルカノールアミンが一般的であるが、その他のアミンを含んでいてもよい。アルカノールアミンとしては、モノエタノールアミン（ＭＥＡ）、ジエタノールアミン（ＤＥＡ）、トリエタノールアミン（ＴＥＡ）、ジグリコールアミン（ＤＧＡ）およびメチルジエタノールアミン（Ｍ
ＤＥＡ）、ジイソプロパノールアミン（ＤＩＰＡ）等が一般に用いられるが、他のアミン例えばヒンダードアミンのようなアミンであってもよい。これらのアミン液は通常１５〜５５重量％の水溶液とされている。
【００５０】
被処理アミン液は、好ましくは、このようなアミン液に酸性ガスを吸収させたリッチアミン液を熱分解、ストリッピングにより１次再生したアミン液（リーンアミン）である。
【００５１】
［１次再生装置の構成例］
電気透析装置１０の負荷を小さくするために、１次再生処理によりリッチアミン液中の熱分解性アミン塩をなるべく多く熱分解し、気散させておくのが好ましい。このアミン液の１次再生処理装置の構成の一例を図２に示す。
【００５２】
吸収塔２１と再生塔２２は流路４１，４２により、ポンプ３１，３２および熱交換器２３、冷却器２４を介して連絡している。吸収塔２１および再生塔２２は内部に充填層２５、２６を備え、気−液接触により吸収および１次再生を行うように構成されている。吸収塔２１には流路４３、４４が連絡している。流路４３は石油精製プロセスやボイラ等からプロセスガスや煙道ガス等の酸成分を含む酸性ガスを、脱塵、脱硝、脱硫装置等の前処理装置を経由して吸収塔２１に導入するように構成されている。流路４４からの処理ガスはプロセスや煙突等に導かれる。
【００５３】
吸収塔２１は、流路４３から入る酸成分を含む酸性ガスを充填層２５において、流路４１から入るリーンアミン液と接触させ、これにより酸成分を吸収除去して処理ガスを流路４４から系外へ排出し、生成するリッチアミン液を流路４２から再生塔２２へ送るように構成されている。
【００５４】
再生塔２２の塔底から流路４５を介してリーンアミン液の一部をリボイラ２７へ送って加熱することにより、蒸気を発生させ、この蒸気を充填層２６に導入することによりリッチアミン液を熱分解して蒸気ストリッピングする。炭酸ガスや硫化水素等気散性酸成分のアミン塩のような熱分解性のアミン塩は、分解して気散性酸成分を放出し、リーンアミン液が生成する。生成したリーンアミン液は、再生塔２２の塔底から流路４１を経て吸収塔２１に循環する。再生塔２２内の蒸気は、塔頂から抜き出され、コンデンサ２８で凝縮し、凝縮水は流路４６から再生塔２２へ還流し、気散したガスは流路４７から排出される。
【００５５】
このように構成された１次再生装置において、流路４３から酸性ガスを吸収塔２１へ導入し、充填層２５において流路４１からのリーンアミン液と接触させ、これにより炭酸ガス、硫化水素、ＳＯｘ、ＮＯｘおよび他の酸成分を吸収除去して処理ガスを流路４４から系外へ排出し、生成するリッチアミン液を流路４２から再生塔２２へ送る。吸収塔２１では、熱分解性のアミン塩を形成する炭酸ガス、硫化水素その他の気散性のガスだけでなく、ＨＳＡＳを形成するＳＯｘ、ＮＯｘ、ギ酸、酢酸、シュウ酸、チオシアン酸、チオ硫酸、無機酸等の非気散性のガスも吸収され、熱分解性のアミン塩および熱安定性アミン塩を形成する。
【００５６】
再生塔２２においてリッチアミン液を蒸気ストリッピングし、炭酸ガスおよび硫化水素のアミン塩のような熱分解性のアミン塩を分解して気散性の酸成分を放出し、アミンを１次再生してリーンアミン液を生成し、リーンアミン液を流路４１から、熱交換器２３で熱交換し、冷却器２４でさらに冷却して吸収塔２１に循環する。熱分解により分解し分離した炭酸ガス、硫化水素その他の気散性の酸性ガスは流路４７から系外へ排出される。
【００５７】
このようにしてアミン液中の炭酸ガス、硫化水素等の気散性ガスの多くが除去されるが、一部の気散性ガスはアミン液中に残留する。またＳＯｘ、ＮＯｘ、ギ酸、酢酸、シュウ酸、チオシアン酸、チオ硫酸、その他の無機酸等の非気散性の酸成分のアミン塩のようなＨＳＡＳは分解されず、アミン液中に蓄積する。そこで、この１次再生処理されたアミン液を流路４１から流路５１，５２によって上記図１の電気透析装置１０に送って２次再生処理する。
【実施例】
【００５８】
以下、本発明の実施例、比較例について説明する。各例における％は特に指示しない限り重量％である。各成分の分析法は以下の通りである。  
〔アミン濃度〕：ＯＨ形強塩基性アニオン交換樹脂に通液し、フリーのアミン形にした後、０．１Ｎ−ＨＣｌ溶液で滴定する。
〔熱再生性酸濃度〕：Ｈ形強酸性カチオン樹脂に通液してフリーの酸にし、曝気しないで、ＰＰ指示薬を用い０．１Ｎ−ＮａＯＨ溶液で中和滴定する。
〔ＨＳＡＳ濃度〕：Ｈ形強酸性カチオン樹脂に通液してフリーの酸にし、曝気して熱分解性酸を放散させた後、ＭＢ指示薬を用い０．１Ｎ−ＮａＯＨ溶液で中和滴定する。
【００５９】
被処理アミン液としては、メチルジエタノールアミンに水、炭酸ガス、硫酸、硝酸を添加して、アミン濃度３８ｗｔ％、熱再生性酸濃度３．５ｗｔ％、ＨＳＡＳ濃度１．６ｗｔ％となるよう調製したものを用いた。
【００６０】
［実施例１］
図１に示す電気透析装置１０において、陰極１にステンレス鋼、陽極２に白金メッキしたチタンを用いた。バイポーラ膜３にはアストム社製ネオセプタＢＰ−１Ｅ（商品名）を、アニオン交換膜４には同社のネオセプタＡＨＡ（商品名）を用いた。各室には厚さ３ｍｍとなるようにアニオン交換樹脂（ダウケミカル社製ダウエックス５５０Ａ）を入れて流路を確保した。各電極およびイオン交換膜の有効面積は１００ｃｍ２（５ｃｍ×２０ｃｍ）とした。
【００６１】
この電気透析装置１０のアミン精製室５に対し、上記被処理アミン液を１０ｍＬ／ｍｉｎで通液した。電流は６Ａ定電流、通電は１５分ＯＮ、１５分ＯＦＦで行った。通電停止・通液期間（１５分間）中、ＨＳＡＳ（ＮＯ３＋ＳＯ４）は１６％が除去された。通電・通液期間中にあってはＨＳＡＳは３２％除去された。また、通電・通液期間中、酸濃縮液は、上記の除去されたＨＳＡＳ分だけＨＳＡＳ濃度が増加した。
【００６２】
このように、１５分間通電、１５分間通電停止を繰り返すことにより、被処理アミン液中のＨＳＡＳが平均２４％にて除去された。
【００６３】
［比較例１］
実施例１において、電気透析装置１０に連続通電したこと以外は同様にして被処理アミン液を処理した。その結果、被処理アミン液中の２６％のＨＳＡＳが除去された。
【００６４】
［実施例２］
各室の厚さが２ｍｍになるようアニオン交換樹脂（ダウケミカル社製ダウエックス５５０Ａ）を入れて流路を確保したこと以外は実施例１と同じ装置を用いた。
【００６５】
この電気透析セルに被処理アミン液を１０ｍＬ／ｍｉｎ通液した。電流は６Ａ定電流、通電は１０分ＯＮ、１０分ＯＦＦで行った。通電停止・通液期間（１０分間）中、ＨＳＡＳ（ＮＯ３＋ＳＯ４）は１４％が除去された。通電・通液期間中にあってはＨＳＡＳは３０％除去された。また、通電・通液期間中、酸濃縮液は、上記の除去されたＨＳＡＳ分だけＨＳＡＳ濃度が増加した。
【００６６】
このように、１０分間通電、１０分間通電停止を繰り返すことにより、被処理アミン液中のＨＳＡＳが平均２２％にて除去された。
【００６７】
［比較例２］
電気透析装置１０に連続通電したこと以外は実施例２と同様にして被処理アミン液の処理を行った。その結果、被処理アミン液中の２６％のＨＳＡＳが除去された。
【００６８】
実施例１，２及び比較例１，２のＨＳＡＳ除去率と３００ｍＬ当りの電気量を表１に示す。実施例１，２と比較例１，２との対比より、実施例１，２のように間欠通電した場合の方がアミン液３００ｍＬ当りの電気量は少なくなっている。
【００６９】
【表１】
2014079724.tif 000003
【００７０】
以上の実施例及び比較例より明らかな通り、電気透析装置１０への通電を間欠通電とすることにより、被処理アミン液と接触し熱再生性酸の移動を抑制し、電流効率が向上する。また、電力コストが安価となる。なお、通電の制御内容も簡単であり、そのための制御システムも安価である。
【符号の説明】
【００７１】
１  陰極
２  陽極
３  バイポーラ膜
３Ｃ  カチオン交換膜
３Ａ  アニオン交換膜
４  アニオン交換膜
５  アミン精製室
６  酸濃縮室
７  アニオン交換体
８  陰極室
１０  電気透析装置
２１  吸収塔
２２  再生塔
２３  熱交換器
２４  冷却器
２５，２６  充填層
２７  リボイラ
２８  コンデンサ
【図１】
2014079724.tif 000004
【図２】
2014079724.tif 000005